(57)【要約】【課題】  フィルターバッグ内に収容された茶葉類（あるいはだし類）が煮だし中に飛び出すことがないようにする。【解決手段】  耐水性および水透過性を有する不織布からなるフィルターバッグ本体１の開口部１５を該開口部１５の口縁に一体に形成された折り返し蓋１６によって閉塞し得るように構成されたフィルターバッグにおいて、前記折り返し蓋１６に、該折り返し蓋１６における反折り返し端部側の所定幅Ｈを切離することにより形成され且つ前記開口部１５を括ることが可能な紐状体１８を設けて、フィルターバッグ１Ａ内に収容された茶葉類（あるいはだし類）が煮だし中に飛び出すことがないようにしている。【選択図】        図１
2011225217.tif 000002
【特許請求の範囲】
【請求項１】
耐水性および水透過性を有する不織布からなるフィルターバッグ本体の開口部を該開口部の口縁に一体に形成された折り返し蓋によって閉塞し得るように構成されたフィルターバッグであって、前記折り返し蓋には、該折り返し蓋における反折り返し端部側の所定幅を切離することにより形成され且つ前記開口部を括ることが可能な紐状体を設けたことを特徴とするフィルターバッグ。
【請求項２】
前記紐状体を、フィルターバッグ本体を吊り下げるための紐として使用できるように構成したことを特徴とする請求項１記載のフィルターバッグ
【発明の詳細な説明】
【技術分野】
【０００１】
本願発明は、フィルターバッグ本体内に煎茶、紅茶、麦茶、コーヒー粉末等の茶葉類やだし類を収容して、熱湯中に茶葉類やだし類のエキスを抽出するために用いられるフィルターバッグに関するものである。
【背景技術】
【０００２】
この種のフィルターバッグ１Ａとしては、図５に示すように、耐水性および水透過性を有する不織布製の濾材を使用し、表材１１と裏材１２とを底部が連続する状態で折り返し、その左右各側縁部１３，１３を熱溶着（符号１４，１４）して袋状に形成したものが知られている。又、このフィルターバッグ１Ａには、上部に開口部１５が形成されており、表材１１の上部外側には、前記開口部１５を閉塞する折り返し蓋１６が一体に形成されている。
【０００３】
上記した従来のフィルターバッグ１Ａは、図６（イ）の扁平状態から、図６（ロ）に示すように、バッグ内部を膨らませて該バッグ内部に所定量の茶葉類（あるいはだし類）Ｐを収容した後、図６（ハ）に示すように、折り返し蓋１６を開口部１５上に被せると、フィルターバッグ１Ａ内に茶葉類（あるいはだし類）Ｐを封入できる。そして、この茶葉類（あるいはだし類）入りのフィルターバッグは、例えば急須内に収容され、熱湯を注ぐことによって茶葉類（あるいはだし類）のエキスを抽出する（即ち、煮出す）ことができることとなっている。図６において符号１７は、裏材１２の上部内側に一体に形成された補強用の折り返し部である。
【０００４】
この種のフィルターバッグの一例としては、例えば特許文献１に示されるものがある。
【先行技術文献】
【特許文献】
【０００５】
【特許文献１】実開平６−４４７６１号公報。
【発明の概要】
【発明が解決しようとする課題】
【０００６】
上記特許文献１に開示されているフィルターバッグの場合、バッグ内部に所定量の茶葉類（あるいはだし類）を収容した後、折り返し蓋を開口部上に被せることにより、フィルターバッグ内に茶葉類（あるいはだし類）を封入する構造となっているが、熱湯を注ぐことによって茶葉類（あるいはだし類）のエキスを抽出する（即ち、煮出す）際に、フィルターバッグ内の茶葉類（あるいはだし類）が膨潤して、折り返し蓋を押し開いて、中身（即ち、茶葉類あるいはだし類）が飛び出すおそれがある。フィルターバッグの中身（即ち、茶葉類あるいはだし類）が飛び出すと、抽出されたエキスに中身（即ち、茶葉類あるいはだし類）が混ざってしまい、飲料等として不適なものとなるおそれがある。
【０００７】
本願発明は、上記の点に鑑みてなされたもので、フィルターバッグ内に収容された茶葉類（あるいはだし類）が煮だし中に飛び出すことがないようにすることを目的としている。
【課題を解決するための手段】
【０００８】
本願発明では、上記課題を解決するための手段として、次の構成を有している。尚、本願発明は、日本茶・紅茶・コーヒー粉末等の茶葉類やだし類を収容して、茶葉類やだし類のエキスを熱湯中に抽出するために使用されるフィルターバッグを対象としている。
【０００９】
そして、本願発明は、耐水性および水透過性を有する不織布からなるフィルターバッグ本体の開口部を該開口部の口縁に一体に形成された折り返し蓋によって閉塞し得るように構成されたフィルターバッグにおいて、前記折り返し蓋に、該折り返し蓋における反折り返し端部側の所定幅を切離することにより形成され且つ前記開口部を括ることが可能な紐状体を設けている。
【００１０】
上記のように構成したことにより、フィルターバッグ本体の開口部を開いて、該開口部からフィルターバッグ本体内に茶葉類（あるいはだし類）を投入した後、折り返し蓋によって開口部を閉塞し、その後、折り返し蓋における反折り返し端部側の所定幅を切離することにより形成された紐状体で前記開口部を括り、その状態のフィルターバッグを、例えば急須内に収容し、熱湯を注ぐことによって茶葉類（あるいはだし類）のエキスを抽出する（即ち、煮出す）ことができるが、煮出し中においてフィルターバッグ本体内に収容された茶葉類（あるいはだし類）が膨潤したとしても、開口部が紐状体によって括られているため、開口部から茶葉類（あるいはだし類）が飛び出すことがなくなる。従って、抽出されたエキスに中身（即ち、茶葉類あるいはだし類）が混ざってしまうということがなくなるところから、飲料としての好適性を確保することができる。しかも、紐状体は、フィルターバッグ本体の開口部の口縁に一体に形成された折り返し蓋における反折り返し端部側の所定幅を切離することにより形成されることとなっているため、開口部を紐状体で括ったとき、双方のなじみがよくなる。
【００１１】
また、本願発明のフィルターバッグにおいては、前記紐状体を、フィルターバッグ本体を吊り下げるための紐として使用できるように構成している。このように構成した場合、紐状体をフィルターバッグ本体の開口部を括る部材とフィルターバッグ本体を吊り下げる部材とに兼用できることとなり、部品点数の簡略化を図り得る。
【発明の効果】
【００１２】
本願発明によれば、耐水性および水透過性を有する不織布からなるフィルターバッグ本体の開口部を該開口部の口縁に一体に形成された折り返し蓋によって閉塞し得るように構成されたフィルターバッグにおいて、前記折り返し蓋に、該折り返し蓋における反折り返し端部側の所定幅を切離することにより形成され且つ前記開口部を括ることが可能な紐状体を設けて、フィルターバッグ本体の開口部を開いて、該開口部からフィルターバッグ本体内に茶葉類（あるいはだし類）を投入した後、折り返し蓋によって開口部を閉塞し、その後、折り返し蓋における反折り返し端部側の所定幅を切離することにより形成された紐状体で前記開口部を括り、その状態のフィルターバッグを、例えば急須内に収容し、熱湯を注ぐことによって茶葉類（あるいはだし類）のエキスを抽出する（即ち、煮出す）ことができるようにしているので、煮出し中においてフィルターバッグ本体内に収容された茶葉類（あるいはだし類）が膨潤したとしても、開口部が紐状体によって括られているため、開口部から茶葉類（あるいはだし類）が飛び出すことがなくなり、抽出されたエキスに中身（即ち、茶葉類あるいはだし類）が混ざってしまうということがなくなって、飲料としての好適性を確保することができるという効果がある。しかも、紐状体は、フィルターバッグ本体の開口部の口縁に一体に形成された折り返し蓋における反折り返し端部側の所定幅を切離することにより形成されることとなっているため、開口部を紐状体で括ったとき、双方のなじみがよくなるという効果もある。
【００１３】
また、本願発明のフィルターバッグにおいては、前記紐状体を、フィルターバッグ本体を吊り下げるための紐として使用できるように構成することもでき、そのように構成した場合、紐状体をフィルターバッグ本体の開口部を括る部材とフィルターバッグ本体を吊り下げる部材とに兼用できることとなり、部品点数の簡略化を図り得る。
【図面の簡単な説明】
【００１４】
【図１】本願発明の実施の形態にかかるフィルターバッグの斜視図である。
【図２】本願発明の実施の形態にかかるフィルターバッグの縦断面図である。
【図３】図１に示すフィルターバッグの使用方法を説明する説明図であり、（イ）はフィルターバッグ本体へ茶葉類（あるいはだし類）を収容する態様を示す斜視図、（ロ）は紐状体を切離した状態を示す側面図、（ハ）は折り返し蓋を折り返す際の動作を説明する説明図、（ニ）は紐状体で開口部を括った状態を示す斜視図である。
【図４】本願発明の実施の形態にかかるフィルターバッグの使用状態を示す説明図である。
【図５】従来のフィルターバッグの斜視図である。
【図６】図５に示すフィルターバッグの使用方法を説明する説明図であり、（イ）は茶葉類（あるいはだし類）を収容する前の状態を示す縦断面図、（ロ）は茶葉類（あるいはだし類）を収容した状態を示す縦断面図、（ハ）は折り返し蓋で開口部を閉塞した状態を示す縦断面図である。
【発明を実施するための形態】
【００１５】
以下、添付の図面を参照して、本願発明の実施の形態にかかるフィルターバッグについて説明する。
【００１６】
このフィルターバッグ１Ａは、従来例のものと同様に、耐水性および水透過性を有する不織布からなるフィルターバッグ本体１の開口部１５を該開口部１５の口縁に一体に形成された折り返し蓋１６によって閉塞し得るように構成されている。
【００１７】
前記フィルターバッグ本体１は、図１および図２に示すように、耐水性及び水透過性を有する不織布製の濾材を使用し、矩形形状の表材１１と矩形形状の裏材１２とを底部が連続する状態で折り返し、その左右各側縁部１３，１３を熱溶着（符号１４，１４で示す部分）して袋状に形成されている。又、このフィルターバッグ本体１は、上部に開口部１５が形成されており、表材１１の上部外側には、前記開口部１５を閉塞する折り返し蓋１６が一体に形成されている。符号１７は、裏材１２の上部内側に一体に形成された補強用の折り返し部である。尚、このフィルターバッグ本体１の濾材（不織布）は半透明であり、バッグ内部に茶葉類（あるいはだし類）Ｐを収容したときに、バッグ外部から内部の茶葉類（あるいはだし類）Ｐを目視により確認できる。
【００１８】
ところで、上記フィルターバッグ本体１における折り返し蓋１６には、該折り返し蓋１６における反折り返し端部側の所定幅Ｈを切離することにより形成され且つ前記開口部１５を括ることが可能な紐状体１８が設けられている。この紐状体１８の左右端部１８ａ，１８ｂは、本実施の形態においては、該紐状体１８が前記折り返し蓋１６の一部により構成されているところから、フィルターバッグ本体１の左右側縁部１３，１３に対して熱溶着させることによって取り付けられている。
【００１９】
このフィルターバッグ１Ａは、次のようにして使用される。
【００２０】
まず、図３（イ）に示すように、フィルターバッグ本体１の開口部１５を広げて、該開口部１５から内部に所定量の茶葉類（あるいはだし類）Ｐを収容する。
【００２１】
そして、フィルターバッグ本体１内に所定量の茶葉類（あるいはだし類）Ｐを収容した後、図３（ロ）に示すように、紐状体１８の一端を折り返し蓋１６から切り離す。ついで、図３（ハ）に示すように、折り返し蓋１６を矢印Ａで示す方向（即ち、反対方向）に折り返して前記開口部１５を閉塞する。その後、切り離した紐状体１８で開口部１５を括る。このようにすると、紐状体１８によって開口部１５が括られることとなるので、フィルターバッグ本体１内に収容された茶葉類（あるいはだし類）Ｐが開口部１５から飛び出すということがなくなる。
【００２２】
上記のようにして、茶葉類（あるいはだし類）Ｐが内部に収容されたフィルターバッグ１Ａを、図４に示すように、急須Ｑ内の熱湯中に浸すことにより、フィルターバッグ１Ａ内に収容された茶葉類（あるいはだし類）Ｐからエキスを抽出することができる。このとき、紐状体１８をフィルターバッグ１Ａを吊り下げるための吊り紐として使用することも可能となる。
【００２３】
上記したように、本願発明のフィルターバッグでは、煮出し中においてフィルターバッグ本体１内に収容された茶葉類（あるいはだし類）Ｐが膨潤したとしても、開口部１５が紐状体１８によって括られているため、開口部１５から茶葉類（あるいはだし類）Ｐが飛び出すことがなくなる。従って、抽出されたエキスに中身（即ち、茶葉類あるいはだし類Ｐ）が混ざってしまうということがなくなるところから、飲料としての好適性を確保することができる。しかも、紐状体１８は、フィルターバッグ本体１の開口部１５の口縁に一体に形成された折り返し蓋１６における反折り返し端部側の所定幅Ｈを切離することにより形成されることとなっているため、開口部１５を紐状体１８で括ったとき、双方のなじみがよくなる。
【００２４】
また、本願発明のフィルターバッグにおいては、前記紐状体１８を、フィルターバッグ本体１を吊り下げるための紐として使用できるように構成しているので、紐状体１８をフィルターバッグ本体１の開口部１５を括る部材とフィルターバッグ本体１を吊り下げる部材とに兼用できることとなり、部品点数の簡略化を図り得る。
【００２５】
本願発明は、上記実施の形態に限定されるものではなく、発明の要旨を逸脱しない範囲において適宜設計変更可能なことは勿論である。
【符号の説明】
【００２６】
１Ａはフィルターバッグ
１はフィルターバッグ本体
１１は表材
１２は裏材
１３は側縁部
１４は熱溶着部
１５は開口部
１６は折り返し蓋
１８は紐状体
Ｈは所定幅
【図１】
2011225217.tif 000003
【図２】
2011225217.tif 000004
【図３】
2011225217.tif 000005
【図４】
2011225217.tif 000006
【図５】
2011225217.tif 000007
【図６】
2011225217.tif 000008